(57)【要約】【課題】  本発明は、フラットディスプレイ装置及びフラットディスプレイ装置の製造方法に関し、例えば絶縁基板上に駆動回路を一体に形成した液晶表示装置に適用して、ガンマ等の設定に係る基板上の面積を少なくし得、簡易にガンマ値等を設定することができるようにする。【解決手段】  本発明は、抵抗分圧によりディジタルアナログ変換処理に供する複数の基準電圧Ｖ０〜Ｖ６３を生成する際に、この抵抗分圧に係る分圧抵抗Ｒ０、Ｒ６３の抵抗値を切り換える。【選択図】        図１
2005031508.tif 000002
【特許請求の範囲】
【請求項１】
マトリックス状に画素を配置してなる表示部と、前記表示部の画素をゲート線により順次選択する垂直駆動回路と、前記ゲート線により選択された画素を駆動する駆動信号を前記表示部の信号線に出力する水平駆動回路とを一体に基板上に形成してなるフラットディスプレイ装置において、
前記水平駆動回路は、
分圧抵抗の直列回路により生成基準電圧を抵抗分圧して複数の基準電圧を生成する基準電圧発生回路と、
前記画素の階調を示す階調データに応じて前記複数の基準電圧から１つの基準電圧を選択して前記駆動信号を生成する基準電圧セレクタとを有し、
前記複数の分圧抵抗の少なくとも１つの分圧抵抗は、抵抗値を切り換えることができるように設定された
ことを特徴とするフラットディスプレイ装置。
【請求項２】
前記複数の基準電圧の電位の設定によりガンマ値が設定されてなり、
前記抵抗値の切り換えによる前記複数の基準電圧の電位の変更により、前記ガンマ値が変更される
ことを特徴とする請求項１に記載のフラットディスプレイ装置。
【請求項３】
前記抵抗値を切り換えることができるように設定された分圧抵抗が、前記分圧抵抗の直列回路の一方の端部又は両端部に設けられた分圧抵抗である
ことを特徴とする請求項１に記載のフラットディスプレイ装置。
【請求項４】
前記分圧抵抗の抵抗値の切り換えが、トリミングによる切り換えである
ことを特徴とする請求項１に記載のフラットディスプレイ装置。
【請求項５】
前記分圧抵抗の抵抗値の切り換えが、スイッチ回路の設定による切り換えである
ことを特徴とする請求項１に記載のフラットディスプレイ装置。
【請求項６】
マトリックス状に画素を配置してなる表示部と、前記表示部の画素をゲート線により順次選択する垂直駆動回路と、前記ゲート線により選択された画素を駆動する駆動信号を前記表示部の信号線に出力する水平駆動回路とを一体に基板上に形成してなるフラットディスプレイ装置の製造方法において、
前記水平駆動回路は、
分圧抵抗の直列回路により生成基準電圧を抵抗分圧して複数の基準電圧を生成する基準電圧発生回路と、
前記画素の階調を示す階調データに応じて前記複数の基準電圧から１つの基準電圧を選択して前記駆動信号を生成する基準電圧セレクタとを有し、
前記フラットディスプレイ装置の製造方法は、
前記複数の分圧抵抗の少なくとも１つの分圧抵抗の抵抗値を切り換えて、前記複数の基準電圧の電位を調整する
ことを特徴とするフラットディスプレイ装置の製造方法。
【発明の詳細な説明】
【技術分野】
【０００１】
本発明は、フラットディスプレイ装置及びフラットディスプレイ装置の製造方法に関し、例えば絶縁基板上に駆動回路を一体に形成した液晶表示装置に適用することができる。本発明は、抵抗分圧によりディジタルアナログ変換処理に供する複数の基準電圧を生成する際に、この抵抗分圧に係る分圧抵抗の抵抗値を切り換えることにより、ガンマ等の設定に係る基板上の面積を少なくし得、簡易にガンマ値等を設定することができるようにする。
【背景技術】
【０００２】
近年、例えばＰＤＡ、携帯電話等の携帯端末装置に適用されるフラットディスプレイ装置である液晶表示装置においては、液晶表示パネルを構成する絶縁基板であるガラス基板上に、液晶表示パネルの駆動回路を一体に構成するものが提供されるようになされている。
【０００３】
このような液晶表示装置は、液晶セル、この液晶セルのスイッチング素子であるポリシリコンＴＦＴ（Thin Film Transistor；薄膜トランジスタ）、保持容量により各画素が形成され、この画素をマトリックス状に配置して表示部が形成される。この種の液晶表示装置は、この表示部を形成する各画素が、信号線（列線）及びゲート線（行線）によりそれぞれ水平駆動回路及び垂直駆動回路に接続され、垂直駆動回路により順次画素を選択して水平駆動回路からの駆動信号により各画素の階調を設定するようになされている。
【０００４】
このため水平駆動回路においては、順次入力される各画素の階調データを順次循環的にサンプリングして行単位によりディジタルアナログ変換処理するようになされ、従来の液晶表示装置においては、所定の基準電圧を分圧抵抗による直列回路で分圧して複数系統の基準電圧を生成し、この複数系統の基準電圧を階調データに応じて選択することにより、このディジタルアナログ変換処理を実行するようになされている。
【０００５】
例えば特開平１０−３３３６４８号公報に開示されているように、このような液晶表示装置においては、このようにして生成する複数系統の基準電圧の設定によりガンマ補正するようになされている。
【０００６】
従来の液晶表示装置においては、このような抵抗分圧によるガンマ補正に関して、複数個の分圧回路を基板上に設け、この分圧回路をアルミマスクにより選択して使用することにより、種々のガンマ値による液晶表示装置を構成し、サンプル品等に利用するようになされていた。
【０００７】
ところでこのようにディジタルアナログ変換用の基準電圧の生成に供する分圧回路を複数用意しておき、この分圧回路を選択してガンマ値を設定する場合にあっては、この複数の分圧回路が基板上で大きな面積を占め、これにより基板の形状が大型化する問題がある。またガンマ値を実際に切り換える場合には、対応するマスクが必要となる問題がある。
【特許文献１】特開平１０−３３３６４８号公報
【発明の開示】
【発明が解決しようとする課題】
【０００８】
本発明は以上の点を考慮してなされたもので、ガンマ等の設定に係る基板上の面積を少なくし得、簡易にガンマ値等を設定することができるフラットディスプレイ装置及びフラットディスプレイ装置の製造方法を提案しようとするものである。
【課題を解決するための手段】
【０００９】
かかる課題を解決するため請求項１の発明においては、フラットディスプレイ装置に適用して、水平駆動回路は、分圧抵抗の直列回路により生成基準電圧を抵抗分圧して複数の基準電圧を生成する基準電圧発生回路と、画素の階調を示す階調データに応じて複数の基準電圧から１つの基準電圧を選択して駆動信号を生成する基準電圧セレクタとを有し、複数の分圧抵抗の少なくとも１つの分圧抵抗は、抵抗値を切り換えることができるように設定されてなるようにする。
【００１０】
また請求項６の発明においては、フラットディスプレイ装置の製造方法において、水平駆動回路は、分圧抵抗の直列回路により生成基準電圧を抵抗分圧して複数の基準電圧を生成する基準電圧発生回路と、画素の階調を示す階調データに応じて複数の基準電圧から１つの基準電圧を選択して駆動信号を生成する基準電圧セレクタとを有し、フラットディスプレイ装置の製造方法は、複数の分圧抵抗の少なくとも１つの分圧抵抗の抵抗値を切り換えて、複数の基準電圧の電位を調整する。
【００１１】
請求項１の構成により、フラットディスプレイ装置に適用して、水平駆動回路は、分圧抵抗の直列回路により生成基準電圧を抵抗分圧して複数の基準電圧を生成する基準電圧発生回路と、画素の階調を示す階調データに応じて複数の基準電圧から１つの基準電圧を選択して駆動信号を生成する基準電圧セレクタとを有し、複数の分圧抵抗の少なくとも１つの分圧抵抗は、抵抗値を切り換えることができるように設定されてなる場合にあっては、複数の分圧回路を基板上に設けなくても、必要に応じてこの抵抗値の切り換えにより基準電圧を変更してガンマ調整等することができ、これによりガンマ等の設定に係る基板上の面積を少なくし得、簡易にガンマ値等を設定することができる。
【００１２】
これにより請求項６の構成によれば、ガンマ等の設定に係る基板上の面積を少なくし得、簡易にガンマ値等を設定することができるフラットディスプレイ装置の製造方法を提供することができる。
【発明の効果】
【００１３】
本発明によれば、抵抗分圧によりディジタルアナログ変換処理に供する複数の基準電圧を生成する際に、この抵抗分圧に係る分圧抵抗の抵抗値を切り換えることにより、ガンマ等の設定に係る基板上の面積を少なくし得、簡易にガンマ値等を設定することができる。
【発明を実施するための最良の形態】
【００１４】
以下、適宜図面を参照しながら本発明の実施例を詳述する。
【実施例１】
【００１５】
（１）実施例の構成
図２は、本発明の実施例に係る液晶表示装置を示すブロック図である。この液晶表示装置１は、液晶セル２、この液晶セル２のスイッチイング素子であるポリシリコンＴＦＴ３、図示しない保持容量とにより各画素が形成され、この各画素をマトリックス状に配置して矩形形状による表示部４が形成される。この液晶表示装置１では、このようにして表示部４に形成される各画素へのカラーフィルタの配置により、水平方向に、赤色、緑色、青色の画素Ｒ、Ｇ、Ｂを順次循環的に繰り返し、これら赤色、緑色、青色の画素Ｒ、Ｇ、Ｂを１組とした２４０組により水平方向の画素が形成されて表示部４が形成される。この液晶表示装置１では、これら赤色、緑色、青色の画素Ｒ、Ｇ、Ｂの階調を指示する各６ビットの階調データＲ０〜Ｒ５、Ｇ０〜Ｇ５、Ｂ０〜Ｂ５が同時並列的にラスタ走査の順序により入力され、この階調データＤ１（Ｒ０〜Ｒ５、Ｇ０〜Ｇ５、Ｂ０〜Ｂ５）により各画素を駆動して所望の画像を表示するようになされている。
【００１６】
液晶表示装置１においては、この表示部４の信号線ＳＬ及びゲート線ＳＧがそれぞれ水平駆動回路５及び垂直駆動回路６に接続され、水平駆動回路５は、階調データＤ１に基づいて各信号線ＳＬに対応する画素の駆動信号を出力し、垂直駆動回路６は、この水平駆動回路５による信号線ＳＬへの駆動信号の出力に対応してゲート線ＳＧの制御によりライン単位で表示部４の画素を選択する。これにより液晶表示装置１では、これら水平駆動回路５及び垂直駆動回路６により表示部４の各画素を駆動して所望の画像を表示するようになされている。
【００１７】
具体的に、水平駆動回路５は、水平方向への画素の配置に対応して設けられてなるサンプリングラッチ回路（ＳＬ）８により順次循環的に階調データＤ１の対応するビットＲ０〜Ｒ６、Ｇ０〜Ｇ６、Ｂ０〜Ｂ６をサンプリングすることにより、この階調データＤ１を１ライン単位でまとめ、対応する基準電圧セレクタ９に出力する。基準電圧セレクタ９は、それぞれサンプリングラッチ回路８の出力データにより、基準電圧発生回路１０から出力される基準電圧Ｖ０〜Ｖ６３を選択することにより、対応する階調データをディジタルアナログ変換処理してなる駆動信号を出力する。バッファ回路１１は、この駆動信号を対応する信号線ＳＬに出力する。これにより水平駆動回路５は、複数の基準電圧Ｖ０〜Ｖ６３を階調データに応じて選択することにより、各画素の駆動に供する駆動信号を生成して表示部４を駆動するようになされている。
【００１８】
基準電圧発生回路１０は、基準電圧セレクタ９の選択対象である複数の基準電圧Ｖ０〜Ｖ６３を生成して出力する。図１は、この基準電圧発生回路１０の詳細構成を示すブロック図である。基準電圧発生回路１０は、分圧抵抗Ｒ０〜Ｒ６３の直列回路１２により生成基準電圧を抵抗分圧して複数の基準電圧Ｖ０〜Ｖ６３を生成する。
【００１９】
この実施例において液晶表示装置１は、いわゆるライン反転により表示部４を駆動するようになされ、このためこの基準電圧発生回路１０では、スイッチ回路１３、１４により１水平走査期間毎に、生成基準電圧の極性が切り換えられる。すなわちスイッチ回路１３は、切り換え信号ＳＥＬにより相補的にオンオフ状態に切り換わるスイッチ回路１３Ａ及び１３Ｂの一端がそれぞれ電圧３〔Ｖ〕の基準電圧ライン、グランドラインに接続され、これらスイッチ回路１３Ａ及び１３Ｂの他端が直列回路１２の一端に接続される。またスイッチ回路１４は、切り換え信号ＳＥＬにより相補的にオンオフ状態に切り換わるスイッチ回路１４Ａ及び１４Ｂの一端がそれぞれ電圧３〔Ｖ〕の基準電圧ライン、グランドラインに接続され、これらスイッチ回路１４Ａ及び１４Ｂの他端が直列回路１２の他端に接続される。スイッチ回路１３、１４は、相補的に、スイッチ回路１３Ａ、１３Ｂ、スイッチ回路１４Ａ、１４Ｂにより基準電圧ライン、グランドラインを選択する。
【００２０】
これにより基準電圧発生回路１０では、直列回路１２に印加される生成基準電圧の極性が１水平走査期間毎に切り換えられるようになされ、この極性が切り換えられてなる生成基準電圧を分圧抵抗Ｒ０〜Ｒ６３の直列回路１２により抵抗分圧して複数の基準電圧Ｖ０〜Ｖ６３を生成するようになされている。
【００２１】
しかして分圧抵抗Ｒ０〜Ｒ６３による直列回路１２は、直列回路１２の両端からも基準電圧Ｖ０、Ｖ６３を出力するように接続され、両端の抵抗Ｒ０、Ｒ６３は、それぞれ抵抗Ｒ０Ａ、Ｒ０Ｂの直列回路、抵抗Ｒ６３Ａ、Ｒ６３Ｂの直列回路により作成され、それぞれ直列回路１２における内側の抵抗Ｒ０Ｂ、Ｒ６３Ａの両端が、配線パターンＡ及びＢにより短絡されるようになされている。またこの配線パターンＡ及びＢは、それぞれレーザービームの照射によるトリミングにより断線させることができるように作成され、これによりこの配線パターンＡ及びＢに係る分圧抵抗Ｒ０、Ｒ６３は、必要に応じて抵抗値を切り換えることができるようになされている。
【００２２】
直列回路１２は、このように配線パターンＡ及びＢにより抵抗Ｒ０Ａ、Ｒ０Ｂの両端を短絡させた状態で、階調データＤ１の値を順次可変すると、図３により符号Ｌ０により示すように、対応する画素における透過率が所定の特性により変化するように、各分圧抵抗Ｒ０〜Ｒ６３の抵抗値が設定され、この所定の特性による透過率の変化が所定のガンマ値による輝度の変化であるように設定される。
【００２３】
配線パターンＡ又はＢをレーザートリミングにより断線させた場合、それぞれ符号Ｌ１、Ｌ２により示すように、この透過率の変化に係る特性が変化し、この変化した特性が所定のガンマ値による輝度の変化であるように設定される。この実施例では、これら符号Ｌ０、Ｌ１、Ｌ２に係るガンマ値がそれぞれ２．２、１．９、２．５に設定され、これによりこの実施例では分圧抵抗Ｒ０〜Ｒ６３による基準電圧Ｖ０〜Ｖ６３の設定により表示部４で表示する画像のガンマ値を設定するようになされ、また配線パターンＡ又はＢのレーザートリミングによりこのガンマ値を変更できるようになされている。なおこの図３に示す例により、直列回路１２においては、黒レベル側の配線パターンＢをレーザートリミングして黒レベル側に抵抗Ｒ６３Ｂを介挿した場合、ガンマ値は小さくなり、これとは逆に白レベル側の配線パターンＡをレーザートリミングして白レベル側に抵抗Ｒ０Ａを介挿した場合、ガンマ値は大きくなるようになされている。
【００２４】
（２）実施例の動作
以上の構成において、この液晶表示装置１では（図２）、表示に供する各画素の階調を示すデータの連続による階調データＤ１が水平駆動回路５に入力され、ここでこの階調データＤ１がサンプリングラッチ回路８により順次サンプリングされてライン単位でまとめられ、続く基準電圧セレクタ９により各階調データに応じた基準電圧Ｖ０〜Ｖ６３が選択される。液晶表示装置１では、この基準電圧Ｖ０〜Ｖ６３の選択により各画素を駆動する駆動信号が生成され、この駆動信号が信号線ＳＬにより表示部４に供給され、垂直駆動回路６により選択された画素にこの駆動信号が印加される。これにより液晶表示装置１では、表示部４の各画素を対応する階調データＤ１により駆動して所望の画像を表示する。
【００２５】
このようにして表示部４を駆動する水平駆動回路５においては、このような階調データＤ１による選択対象である複数の基準電圧Ｖ０〜Ｖ６３が基準電圧発生回路１０で生成され、この基準電圧発生回路１０では（図１）、スイッチ回路１３及び１４を介して入力されるライン反転による生成基準電圧を分圧抵抗Ｒ０〜Ｒ６３の直列回路１２により抵抗分圧して複数の基準電圧Ｖ０〜Ｖ６３が生成される。
【００２６】
液晶表示装置１では、この基準電圧Ｖ０〜Ｖ６３の設定により表示部４におけるガンマが設定され、これによりガンマ補正に係る構成を簡略化できるようになされている。
【００２７】
液晶表示装置１では、この基準電圧Ｖ０〜Ｖ６３の生成に供する直列回路１２において、両端の分圧抵抗Ｒ０、Ｒ６３がそれぞれ抵抗Ｒ０Ａ、Ｒ０Ｂの直列回路、抵抗Ｒ６３Ａ、Ｒ６３Ｂの直列回路により作成され、さらにこの直列回路における内側の抵抗Ｒ０Ｂ、Ｒ６３Ａが配線パターンＡ及びＢにより短絡されて作成される。これにより液晶表示装置１では、この配線パターンＡ又はＢをレーザートリミングにより断線させることにより、直列回路１２を構成する分圧抵抗Ｒ０、Ｒ６３の抵抗値を切り換えて、ガンマ値を種々に設定できるようになされている。
【００２８】
すなわちこの液晶表示装置１において、ガンマ値を２．２に設定する場合、何ら配線パターンＡ及びＢをトリミングすることなく直列回路１２により基準電圧Ｖ０〜Ｖ６３を生成するようにしてガンマ値を２．２に設定することができる。これに対してガンマ値を２．５に設定する場合には、白レベル側の配線パターンＡをレーザートリミングするだけでガンマ値を２．５に設定できるのに対し、ガンマ値を１．９に設定する場合には、黒レベル側の配線パターンＢをレーザートリミングしてガンマ値を１．９に設定することができる。
【００２９】
これによりこの液晶表示装置１においては、ガンマ値を簡易に設定することができる。またこのように１つの分圧回路の一部の分圧抵抗Ｒ０、Ｒ６３に配線パターンＡ、Ｂで短絡させた余分な抵抗Ｒ０Ａ、Ｒ６３Ｂを設けておくだけで、このようにガンマ値を種々に設定できることにより、ガンマ値に応じて複数の分圧回路を基板上に作成して選択的に使用する場合に比して、このようなガンマの設定に係る部位の基板上に占める面積を少なくすることができる。これらによりこの実施例では、ガンマの設定に係る基板上の面積を少なくし、簡易にガンマ値を設定することができるようになされている。
【００３０】
実際上、このようなガンマ値の変更においては、製品開発の段階で実施されることが多く、この実施例のよれば、単に配線パターンＡ、Ｂをレーザートリミングしてガンマ値を種々に設定できることにより、開発に要する時間を短くすることができ、またマスク作成の無駄も防止することができる。
【００３１】
またこのように分圧抵抗の抵抗値を切り換えて基準電圧Ｖ０〜Ｖ６３を切り換えるにつき、この液晶表示装置１においては、分圧抵抗Ｒ０〜Ｒ６３に係る直列回路１２の両端からも基準電圧Ｖ０、Ｖ６３を出力するようにして、この直列回路１２の両端の抵抗Ｒ０、Ｒ６３において抵抗値を切り換えるようになされ、これによりガンマ値を切り換えるようにしても、基準電圧Ｖ０〜Ｖ６３の最大値及び最小値においては一定電圧に保持することができ、またガンマに係る透過率の特性を適切に設定することができ、これらにより黒レベル、白レベルの変化を有効に回避して簡易かつ確実にガンマ調整することができる。また液晶表示装置１の製造工程にあっては、このような抵抗値の切り換えに係る配線パターンＡ、Ｂに係るマスクを交換するだけで、例えば少量の量産に係る種々のガンマ特性による製品の量産に利用することができ、これによってもマスクの無駄を有効に回避することができる。
【００３２】
（３）実施例の効果
以上の構成によれば、抵抗分圧によりディジタルアナログ変換処理に供する複数の基準電圧を生成する際に、この抵抗分圧に係る分圧抵抗の抵抗値を切り換えることにより、ガンマ等の設定に係る基板上の面積を少なくし得、簡易にガンマ値等を設定することができる。
【００３３】
またこの抵抗値を切り換えることができるように設定された分圧抵抗が、分圧抵抗による直列回路の両端部に設けられた分圧抵抗であることにより、白レベル、黒レベルの変動を有効に回避して、簡易かつ確実にガンマ調整することができる。
【００３４】
またこのような分圧抵抗の抵抗値の切り換えが、トリミングによる切り換えであることにより、例えばサンプル製品等の少量生産品に適用して、簡易にガンマ値等を設定することができる。
【実施例２】
【００３５】
図４は、図１との対比により本発明の実施例２に係る液晶表示装置に適用される基準電圧発生回路を示す接続図である。この実施例２に係る液晶表示装置においては、この基準電圧発生回路２０に係る構成が異なる点を除いて、実施例１に係る液晶表示装置１と同一に構成される。なおこの基準電圧発生回路２０において、図１について上述した基準電圧発生回路１０と同一の構成は、対応する符号を付して示し、重複した説明は省略する。
【００３６】
この基準電圧発生回路２０は、直列回路２２により生成基準電圧を抵抗分圧して複数の基準電圧Ｖ０〜Ｖ６３を生成する。このため直列回路２２は、分圧抵抗Ｒ０〜Ｒ６３を直列接続して構成され、直列回路２２の両端からも基準電圧Ｖ０、Ｖ６３を出力するように接続される。
【００３７】
直列回路２２は、これらの分圧抵抗Ｒ０〜Ｒ６３のうちの、一端側の分圧抵抗Ｒ６３が、それぞれスイッチ回路２３Ａ〜２３Ｎの設定により両端を短絡可能に設定された複数の抵抗ＲＡ〜ＲＮの直列回路により形成される。これによりこの基準電圧発生回路２０では、これらのスイッチ回路２３Ａ〜２３Ｎの設定により分圧抵抗Ｒ６３の抵抗値を切り換えることができるようになされ、この実施例の液晶表示装置においては、これによりガンマ値を種々に設定できるようになされている。
【００３８】
しかして液晶表示装置では、上位のコントローラから出力されるガンマ設定データＤγによりこれらスイッチ回路２３Ａ〜２３Ｎを設定できるようになされ、これによりこの液晶表示装置の設計者の所望するガンマ値により画像表示するようになされている。
【００３９】
この実施例によれば、分圧抵抗の抵抗値の切り換えが、スイッチ回路の設定による切り換えであることにより、さらに一段と簡易に種々にガンマ値を設定することができる。
【００４０】
（４）他の実施例
なお上述の実施例１においては、レーザートリミングにより抵抗値を切り換える場合について述べたが、本発明はこれに限らず、例えばヒューズによる配線パターンを溶断する場合等、種々の配線パターン切断手法を広く適用することができる。
【００４１】
また上述の実施例２においては、コントローラによる設定によりガンマ値を設定する場合について述べたが、本発明はこれに限らず、バックライト、フロントライト等の光源の光学特性をセンサにより検出し、この検出結果によりコントローラでスイッチ回路を設定するようにしてもよい。このようにすればこのような光源のばらつき、経時変化等を補正して常時最適なガンマ値による画像を表示することができる。
【００４２】
また上述の実施例においては、ガラス基板上に表示部等を作成してなるＴＦＴ液晶に本発明を適用する場合について述べたが、本発明はこれに限らず、ＣＧＳ（Continuous Grain Silicon）液晶等、各種の液晶表示装置、さらにはＥＬ（Electro Luminescence）表示装置等、種々のフラットディスプレイ装置に広く適用することができる。
【産業上の利用可能性】
【００４３】
本発明は、フラットディスプレイ装置及びフラットディスプレイ装置の製造方法に関し、例えば絶縁基板上に駆動回路を一体に形成した液晶表示装置に適用することができる。
【図面の簡単な説明】
【００４４】
【図１】本発明の実施の形態に係る液晶表示装置の基準電圧発生回路を示す接続図である。
【図２】図１の基準電圧発生回路に係る液晶表示装置を示すブロック図である。
【図３】図１の基準電圧発生回路の説明に供する特性曲線図である。
【図４】実施例２に係る基準電圧発生回路を示す接続図である。
【符号の説明】
【００４５】
１……液晶表示装置、４……表示部、５……水平駆動回路、９……基準電圧セレクタ、１０、２０……基準電圧発生回路
【図１】
2005031508.tif 000003
【図２】
2005031508.tif 000004
【図３】
2005031508.tif 000005
【図４】
2005031508.tif 000006